(57)【要約】【課題】掛針がイカにフッキングした場合に、確実なフッキング状態を維持することができるエギの提供。【解決手段】本体１１の後端部２２に掛針１２が設けられている。掛針１２は、針部１９と取付軸２０とを有する。本体１１は、後端部２２に弾性部材２１を備える。弾性部材２１は、円柱状に形成されている。弾性部材２１の先端部は、固定ピン２４によって本体１１に固定されており、矢印３０の方向（前後方向）に伸縮可能である。掛針１２は、弾性部材２１の後端に設けられている。【選択図】　図１
2004089120.tif 000002
【特許請求の範囲】
【請求項１】
ベイトフィッシュに似た形態を呈する本体と、
本体の先端部に設けられたラインアイと、
本体の後端部に設けられた掛針とを有するエギにおいて、
上記本体は、上記後端部から後方へ弾性伸長し得る弾性部材を内蔵しており、上記掛針は、上記弾性部材に取り付けられる取付軸及び当該取付軸に設けられた針部を備え、
上記取付軸は、上記弾性部材に対してその後端から先端側へ挿通固定されていることを特徴とするエギ。
【請求項２】
上記弾性部材は、中実棒状に形成されており、
上記取付軸は、上記弾性部材の後端面に差し込み可能な針状に形成されている請求項１記載のエギ。
【請求項３】
上記弾性部材はゴムからなり、
当該弾性部材の先端側端部は、固定ピンを介して上記本体に固定されている請求項２記載のエギ。
【発明の詳細な説明】
【０００１】
【発明の属する技術の分野】
この発明は、イカ釣りに使用される疑似餌、すなわちエギの構造に関するものである。
【０００２】
【従来の技術及び発明が解決しようとする課題】
近年では、エギングと称される釣りのジャンルが発展している。エギングは、その姿態がベイトフィッシュに似せられたエギをキャストし、リトリーブすることによって、イカのアタックを期待する釣法である。
エギは、一般に図４が示すような姿態を有し、本体１及び掛針２を備え、本体１にはヒレ３が装着されている。そして、イカがエギにアタックした際に、掛針２がイカに引っ掛かるようになっている。
【０００３】
掛針２は、掛かりを良くするために、きわめて鋭利な多数のバームレスフック４を備えており、これらが放射状に配置されている。
ところで、掛針２はイカの身体に引っ掛かるものであるが、そのときに釣人が激しくフッキングしたり、イカが強く引っ張ったりした場合は、鋭利なバームレスフック４がイカの身体を切り裂いて（この状態は一般に「身切れ」と称される）、掛針２がイカから外れてしまう。一方、釣人が掛かったイカを取り込むためには、釣人は、エギをある程度の力で引っ張って寄せてくる必要があり、その力加減の調整が容易でなく、この点がエギングの難しいところである。
【０００４】
なお、イカ釣りに使用される疑似餌として、スッテと称されるものがある。このスッテは、掛針を備えており、釣人が船上から水中へ垂下させることによってイカのアタックを期待する釣法に用いられる。釣人は、スッテの掛針にイカが掛かった状態でスッテを回収することによってイカを取り込む。したがって、スッテにおいても、掛針からイカが外れないよう種々の工夫がなされている（例えば、特許文献１参照）。
しかしながら、スッテは、エギのように激しくリトリーブされるものではなく、従来から、掛かったイカの身切れを防止するという要請はない。
【０００５】
【特許文献１】
特許公報第２５６７５７７号
【０００６】
そこで、本発明の目的は、掛針がイカにフッキングした場合に、確実なフッキング状態を維持することができるエギを提供することである。
【０００７】
【課題を解決するための手段】
（１）　上記目的を達成するため、本願に係るエギは、ベイトフィッシュに似た形態を呈する本体と、本体の先端部に設けられたラインアイと、本体の後端部に設けられた掛針とを有するエギにおいて、上記本体は、上記後端部から後方へ弾性伸長し得る弾性部材を内蔵しており、上記掛針は、上記弾性部材に取り付けられる取付軸及び当該取付軸に設けられた針部を備え、上記取付軸は、上記弾性部材に対してその後端から先端側へ挿通固定されていることを特徴とするものである。
【０００８】
この構成によれば、釣糸がラインアイに連結され、釣人は、釣用リールを用いて釣糸を巻き取ることによってエギをリトリーブする。これにより、エギは、前方側へ引かれ、ベイトフィッシュの存在をアピールする。
エギにイカがアタックした場合に、掛針がイカの身体に引っ掛かる。このとき、釣人は釣糸をある程度強く引き、掛針をイカに確実にフッキングさせる。また、イカは、掛針が掛かると、通常引っ張れる方向と逆方向へ（エギの後方側へ）逃げようとする。
【０００９】
掛針は弾性部材を介して本体に取り付けられており、この弾性部材は、エギの後端部から後方へ弾性伸長し得る。したがって、釣人が上記フッキングした場合及びイカが逃げようとした場合には、掛針が相対的にエギの後方側へ引っ張られることになるが、このときに、当該弾性部材が弾性変形し、エギの後方側へ延びる。したがって、掛針がイカの身体を切り裂いてしまうことがない。しかも、弾性部材は弾性的に伸長するから、掛針は一定の力で常にエギの前方側へ付勢されている。これにより、掛針がイカから容易に外れてしまうことがない。
【００１０】
（２）　上記弾性部材は中実棒状に形成され、上記取付軸は、上記弾性部材の後端面に差し込み可能な針状に形成されていてもよい。
この構成では、弾性部材はきわめて簡単な構造が採用され、エギにイカがアタックした際には、その軸方向に伸縮する。また、掛針の取付軸は針状に形成され、これが弾性部材に差し込まれることにより掛針が固定されるので、掛針の取付構造もきわめて簡単である。したがって、エギ全体としても複雑な構造とはならず、製造コストの大幅な上昇も回避される。
【００１１】
特に、上記弾性部材はゴムからなり、当該弾性部材の先端側端部は、固定ピンを介して上記本体に固定されていてもよい。
この構成では、弾性部材が安価に構成され、エギ全体の製造コストの上昇が抑えられる。しかも、弾性部材の先端側端部が固定ピンにより本体に固定されるから、弾性部材の固定構造がきわめて簡単であると共に、弾性部材の弾性変形が容易である。このため、掛針がイカに掛かった際に、身切れが確実に防止される。
【００１２】
【発明の実施の形態】
以下、適宜図面が参照されつつ、好ましい実施形態に基づいて本発明が詳細に説明される。
【００１３】
図１は、本発明の一実施形態に係るエギ１０の正面図である。
このエギ１０は、主としてエギングと称されるイカ釣りに使用されるものである。エギ１０は、ベイトフィッシュに似せた姿態を有する本体１１と、本体１１の後端部２２に設けられた掛針１２と、本体１１に設けられたヒレ１３およびラインアイ１４とを備えている。
本実施形態の特徴とするところは、掛針１２が後述される弾性部材２１を介して本体１１に固定されている点であり、これにより、イカがエギ１０にアタックした場合に、掛針１２が変位するようになっている。
【００１４】
本体１１は、たとえば合成樹脂や木材等により構成される。本体１１には、図１では図示されていないが、魚やエビ等に似せるために所要の迷彩塗装が施される。
【００１５】
アイ１４は、本体１１の先端部に取り付けられている。アイ１４は、円環状に形成されており、釣糸が連結されるようになっている。アイ１４は、たとえばステンレス等の金属棒を湾曲形成して構成されており、この金属棒の外径（線径）は、０．７ｍｍ〜１．８ｍｍ程度のものを採用することができる。
釣人は、ロッド及び釣用リールを用いてエギ１０をキャストし、釣用リールによって釣糸を巻き取ることによって、エギ１０はリトリーブされる。なお、釣人がロッドの操作及び釣用リールの巻き取りの際に所要の動作を行うことによって、エギ１０は、よりベイトフィッシュの泳ぎに似た動きをする。
【００１６】
本体１１の先端側の所定部には、目１５が取り付けられている。これにより、エギ１０は、ベイトフィッシュとして、よりリアルな擬態を呈している。
本体１１の前方下方には、重錘１６が装着されている。重錘１６は板状に形成され、本体１１に嵌め込まれている。この重錘１６によって、エギ１０は水中で沈下するが、エギ１０がリトリーブされることによって、エギ１０は、よりベイトフィッシュに似た泳ぎを行う。
【００１７】
本体１１の中央部の上面１７は、図が示すような曲面に形成されている。これにより、エギ１０がリトリーブされた場合に、水が傾斜面１８に衝突し、エギ１０は、より一層ベイトフィッシュの泳ぎに似た動きをする。
また、この傾斜面１８に窪み（ディンプル）を設けることもできる。これにより、水がより大きい抵抗を受けるので、エギ１０は、なお一層ベイトフィッシュの泳ぎに似た動きをする。
【００１８】
図２は、エギ１０の後端部の要部拡大断面図であり、掛針１２の取付要領が図示されている。
図２が示すように、本体１１の後端部２２には、凹部２３が形成されている。この凹部２３は、上記弾性部材２１が挿入されるようになっており、その内壁面形状は、円柱状に形成されている。
【００１９】
この弾性部材２１は、例えば、アクリロニトリル−ブタジエンゴム（ＮＢＲ）等のゴムにより構成されている。弾性部材２１は、円柱状（中実の丸棒状）に形成されており、凹部２３にぴったりと嵌め込まれている。ただし、弾性部材２１は、凹部２１内に単に嵌め込まれているのみであり、凹部２１に対して変位することが可能である。なお、弾性部材２１は、ゴムに限定されるものではなく、ゴムと同様の弾性を有する部材であれば、他のものが採用されてもよい。
【００２０】
また、本体１１には、固定ピン２４が挿通されている。この固定ピン２４は、本体１１の前後方向（図１において左右方向）に直交する方向（図１において紙面に垂直な方向）に沿って配置されており、本体１１に固定されている。
この固定ピン２４は、上記凹部２３内に配置された弾性部材２１の先端部２５を貫通している。したがって、弾性部材２１の先端部２５は、固定ピン２４を介して本体１１に固定されている。
【００２１】
掛針１２は、本体１１の後端部２２に設けられている。掛針１２は、針部１９と取付軸２０とを有している。
針部１９は、きわめて鋭利な部材であり、いわゆるバームレスフックから構成されている。本実施形態では、このバームレスフックが多数束ねられ、放射状に配置されることにより、笠状の針部１９が構成されている。
なお、本実施形態では、針部１９は単一であるが、針部１９が複数設けられていてもよい。
【００２２】
取付軸２０は、段付き形状のピン部材からなる。すなわち、取付軸２０は、大径部２６とこれに連続する小径部２７とを有する。
大径部２６は、円柱状に形成されており、その外径は、本体１１の後端面の外径に対応されている。大径部の後端（図において右端）には、上記針部１９が固定されており、針部１９は、その先端がエギ１０の先端側を向くように配置されている。
【００２３】
小径部２７は、細長の円柱状（針状）に形成されており、その先端部が鋭利に形成されている。この小径部２７は、上記弾性部材２１の後端面からエギ１０の先端側へ差し込まれている。なお、小径部２７に接着剤等が塗布されることにより、小径部２７が弾性部材２１に差し込まれた際に、両者が確実に固定される。なお、小径部２７の先端部は特に鋭利に形成されていなくてもよい。また、弾性部材２１に前後方向（図２において左右方向）の長孔を設け、当該長孔に小径部２７が差し込まれるような構造が採用されてもよい。
【００２４】
ヒレ１３は、本体１１の所定部に取り付けられている。
ヒレ１３は、例えばナイロン糸が束ねられて構成されており、これが接着剤等によって本体１１に固着されている。
なお、ヒレ１３の形状、材質は、適宜設計変更され得るものであることは勿論である。
【００２５】
本実施形態に係るエギ１０は、次のようにして使用される。
まず、ラインアイ１４に釣糸が連結され、釣人がエギ１０をキャストし、所要の動作でエギ１０をリトリーブする。これにより、エギ１０は、前方側へ引かれ、ベイトフィッシュの存在をアピールする。
エギ１０にイカがアタックした場合に、掛針１２がイカの身体に引っ掛かる。このとき、釣人はロッド等を操作して釣糸をある程度強く引き、掛針１２をイカに確実にフッキングする。このとき、イカは、引っ張れる方向と逆方向へ（エギ１０の後方側へ）逃げようとする場合も多い。
したがって、掛針１２がイカの身体に掛かったときは、相対的に針部１９がイカの身体に突き刺さった状態で前方へ強く引かれ、イカの身体が針部１９によって引き裂かれる傾向にある。
【００２６】
図３は、エギ１０の後端部の要部拡大断面図であり、エギ１０にイカが掛かったときの掛針１２の挙動を図示したものである。
掛針１２は弾性部材２１を介して本体１１に取り付けられている。このため、掛針１２がイカの身体に掛かったときは、弾性部材２１がエギ１０の後端部２２からさらに矢印３０の方向（エギ１０の後方）へ弾性伸長する。したがって、釣人が上記フッキングした場合及びイカが逃げようとした場合には、掛針１２が相対的にエギ１０の後方側へ変位するので、掛針１２の針部１９がイカの身体を切り裂いてしまうことがない。
しかも、弾性部材２１は弾性的に伸長するから、掛針１２は一定の力で常にエギ１０の前方側へ付勢されている。これにより、掛針１２がイカから容易に外れてしまうことがない。
その結果、釣人は、掛針１２をイカに確実にフッキングさせることができると共に、イカの身切れを防止してフッキング状態を維持することができる。
【００２７】
特に、本実施形態に係るエギ１０では、弾性部材２１が円柱状に形成されており、且つ、掛針１２の取付軸２０が弾性部材２１に差し込み可能な針状に形成されているので、掛針１２が変位するための構造がきわめて簡単である。したがって、エギ１０の製造が容易であり、エギ１０の製造コストが大幅に上昇することがないという利点がある。
さらに、弾性部材２１はゴムからなり、これが固定ピン２４により本体１１に固定されているので、弾性部材２１が一層安価に構成されると共に、弾性部材２１の固定構造がきわめて簡単なものとなる。したがって、エギ１０の製造コストは一層低減される。
加えて、弾性部材２１は、固定ピン２４によってその先端部２５のみが本体１１に固定されているので、弾性部材２１の弾性変形が容易である。したがって、掛針１２がイカに掛かった際に、身切れが確実に防止されるという利点もある。
【００２８】
なお、本実施形態では、掛針１２は、弾性部材２１を介して本体１１に取り付けれているが、この弾性部材２１としてバネ等を採用することもできる。また、本体１１の後端部２２が弾性変形する材料で構成されていてもよい。要するに、掛針１２がエギ１０の後方に引っ張られたときに、本体１１に対して掛針１２が相対的に後方へ変位し、イカの身切れが防止される構造であればよい。
【００２９】
【発明の効果】
以上のように本発明によれば、掛針がイカにフッキングされたときに、弾性部材が変形して掛針が引っ張られる方向と逆方向に変位するから、イカの身切れを防止して確実なフッキング状態が維持される。その結果、釣人は、エギに掛かったイカを確実に取り込むことができる。
【図面の簡単な説明】
【図１】図１は、本発明の一実施形態に係るエギの正面図である。
【図２】図２は、本発明の一実施形態に係るエギの後端部の要部拡大断面図であり、掛針の取付要領を示している。
【図３】図３は、本発明の一実施形態に係るエギの後端部の要部拡大断面図であり、エギにイカが掛かったときの掛針の挙動を示している。
【図４】図４は、従来の一般的なエギの正面図である。
【符号の説明】
１０・・・エギ
１１・・・本体
１２・・・掛針
１４・・・ラインアイ
１９・・・針部
２０・・・取付軸
２１・・・弾性部材
２２・・・後端部
２３・・・凹部
２４・・・固定ピン
２５・・・先端部
３０・・・矢印
【図１】
2004089120.tif 000003
【図２】
2004089120.tif 000004
【図３】
2004089120.tif 000005
【図４】
2004089120.tif 000006